(57)【要約】【課題】  本発明は上記課題を鑑みて発明されたものであり、例えば、地震や交通振動によって建物に加わる外力に対して、横架材と縦柱との接合箇所の耐力を充分に保持できる木材建築用部材の接合構造を提供することにある。【解決手段】  横架材２の抜孔１４を経て連結杆１を上方又は下方に突出し、さらに、前記連結杆１の突出側先端部を、縦柱３の木口Ｓ中央部に開けた取付穴７に挿入すると共に、該取付穴７の上部又は下部に有する貫通孔５には、ピン４を前記縦柱３の側面に開けた挿入孔６から差込み、連結杆１からの縦柱３の抜け出しを不能に係止する木材建築用部材の接合構造であって、前記木口Ｓには、該木口Ｓに突入する多数の刃部１１を、同じく木口Ｓに突入した前記連結杆１を囲むように繋いで形成した環状体８を備えていることを特徴とする。【選択図】      図１
2005089992.tif 000002
【特許請求の範囲】
【請求項１】
横架材（２）の抜孔（１４）を経て連結杆（１）を上方又は下方に突出し、さらに、前記連結杆（１）の突出側先端部を、縦柱（３）の木口（Ｓ）中央部に開けた取付穴（７）に挿入すると共に、該取付穴（７）の上部又は下部に有する貫通孔（５）には、ピン（４）を前記縦柱（３）の側面に開けた挿入孔（６）から差込み、連結杆（１）からの縦柱（３）の抜け出しを不能に係止する木材建築用部材の接合構造であって、
前記木口（Ｓ）には、該木口（Ｓ）に突入する多数の刃部（１１）を、同じく木口（Ｓ）に突入した前記連結杆（１ａ）を囲むように繋いで形成した環状体（８）を備えていることを特徴とする木材建築用部材の接合構造。
【請求項２】
前記環状体（８）の各刃部（１１）の被突出側（Ｄ）には、木口（Ｓ）への被押込部（１３）を備えていることを特徴とする請求項１記載の木材建築用部材の接合構造。
【発明の詳細な説明】
【技術分野】
【０００１】
本発明は、例えば土台と柱、或いは、梁と柱等に代表される木材建築用部材の接合構造に関するものである。
【背景技術】
【０００２】
木材建築用部材の接合構造は、横架材と縦柱との接合箇所にそれぞれ設けた雄雌状のほぞを組み合わせ、さらに、前記接合箇所の側面等から釘や鎹などを打ち込むものが一般的である。
【特許文献１】特開平１０−１４７９８７号公報（１頁目）
【発明の開示】
【発明が解決しようとする課題】
【０００３】
前述したような、ほぞを組み合わせて横架材・縦柱の各部材を接合する場合には、当該各部材の接合箇所を削るために、接合箇所の耐力が弱くなることが懸念され、しかも、ほぞの加工に大変な手間がかかるものであった。そこで当業者間では、前述の接合箇所の耐力と作業効率の双方を向上するための様々な施工方法が考えられており、その１つの施工方法として、横架材から上方又は下方に突出する連結杆を延長し、さらに該連結杆の突出部分を縦柱を突入すると共に、該縦柱の側面からピンやボルトで係止し、これを固定する接合構造があった。
【０００４】
そして、前述のような木造建築用部材の接合構造が抱える共通の問題点として、例えば地震や交通振動、風圧等の外力が建物に加わることで、この建物の揺れに連動して同時に、横架材と縦柱とを係止するピンやボルトが上下に揺動して縦柱側に衝突し、例えば、縦柱に対して引き抜き方向に前記ピンやボルトからの強い力が加わった場合には、該縦柱の係止箇所において上下にヒビが入り、しかも、このヒビが柱の木口面にまで到達すると、ピンによる係止力を失い、結果、横架材と縦柱との接合箇所の耐力が弱くなり、最悪の場合、建物の崩壊を招くことになった。
【０００５】
本発明は上記課題を鑑みて発明されたものであり、例えば、地震や交通振動によって建物に加わる外力に対して、横架材と縦柱との接合箇所の耐力を充分に保持できる木材建築用部材の接合構造を提供することにある。
【課題を解決するための手段】
【０００６】
本発明のうち請求項１記載の発明は、横架材の抜孔を経て連結杆を上方又は下方に突出し、さらに、前記連結杆の突出側先端部を、縦柱の木口中央部に開けた取付穴に挿入すると共に、該取付穴の上部又は下部に有する貫通孔には、ピンを前記縦柱の側面に開けた挿入孔から差込み、連結杆からの縦柱の抜け出しを不能に係止する木材建築用部材の接合構造であって、前記木口には、該木口に突入する多数の刃部を、同じく木口に突入した前記連結杆を囲むように繋いで形成した環状体を備えていることを特徴とする。
【０００７】
連結杆とは、基礎から土台を経て上方に突出するアンカーボルトや、或いは、梁に固定し且つ下方に突出する連結金物等、建物の連結手段として用いるものの全てを意味する概念である。また環状体は、既に木口に突入した連結杆を中心とし、これを囲むように連続的に形成されたものであればよく、例えば円形、方形に形成してもよい。また各刃部同士を繋げる手段は、各刃部間において強固な結合力を発揮するものであればよく、例えば、筒体の周面を波形にカットして刃部と一体的に形成したものや、或いは、串状をなす各刃部をリング体に溶接したものであってもよい。さらに刃部の形状についても、木口への差込みが容易に行なえるものであれば特に限定するものではない。またピンとは、横架材・縦柱と連結杆とを係止可能なものの全てを意味し、例えば、ドリフトピンやボルト、鎹などの連結用金物の全てが当てはまる。
【０００８】
このように形成すると、横架材と当接する側の縦柱の木口に備えた環状体は、前記木口に差し込まれている各刃部、及び当該各刃部の継いだ部分によって、木口の中心を基準とした拡がり方向への力を抑えるので、仮に建物が縦揺れした場合に、地盤の揺れと連動するピンから縦柱に加わる上下方向の衝突力に対しては、木口の中心側に向けて押さえ込むような応力が常に働き、これにより、縦柱における挿入孔から縦方向へのヒビを入れ難くしている。また万一、縦柱にヒビが入った場合であっても、前述のような木口の拡がり方向に対する応力の働きによって、更なるピンの上下揺動による衝突力に対しても、前記ヒビが左右に押し拡がることがないので、ピンが縦柱にしっかりと係止され、この結果、横架材・縦柱と連結杆とを強固に接合することとなる。
【０００９】
本発明のうち請求項２記載の発明は、前記環状体の被刃部突出側には、木口への被押込部を備えているので、環状体の各刃部の突出側を木口にあてがい、さらに前記被押込部に目掛けて作業者がハンマーや木槌で叩くか、或いは、工場出荷品であればプレス機のアーム作用部を合わせることで、前記環状体を木口の側へ容易に埋設できる。
【００１０】
被押込部の形態や大きさは、環状体を木口にあてがった際に、前記被押込部に対して木槌やハンマー、或いは、プレス機のアーム作用部等を当てやすくなるようなものであればよく、具体的には、環状体の各刃部の被突出側において各刃部の厚みよりも幅広な鉄板を溶接してもよいし、或いは、各刃部のそれぞれの被突出側部分そのものを扁平で且つ幅広に形成してもよい。
【発明の効果】
【００１１】
本発明のうち請求項１記載の発明によれば、地震や交通振動による建物の縦揺れ時において、基礎の揺れに連動したピンやボルトの揺動時に発生する衝突力による縦柱の割れを防止し、横架材と縦柱との接合箇所の耐力を保持するので、建物の堅牢性を飛躍的に高められる。
【００１２】
本発明のうち請求項２記載の発明によれば、請求項１記載の発明の効果に加えて、柱の木口への環状体の打ち込みがスムーズに行なえる。
【発明を実施するための最良の形態】
【００１３】
ここで、本発明の木造建築用部材の接合構造の具体的な実施形態を各図面に基づいて説明する。
本接合構造は図１のように、基礎Ｂの上面側から抜孔１４を経て突出したアンカーボルト１ａにより固定された土台２と、前記アンカーボルト１ａ先端の連結杆１が突入する取付穴７を備えると共に該連結杆１に対して横方向にドリフトピン４を差し込む挿入孔６を備えた縦柱３と、該縦柱３の下端面側の木口Ｓに埋設される環状体８とからなっており、建物の縦揺れ時に際して、前記ドリフトピン４の上下方向への揺動による衝突力に対し、縦柱３の縦割れを防止するものである。
【００１４】
まず、土台２と縦柱３との接合箇所について更に詳細に説明すると、基礎Ｂの延長方向に沿って、その基礎Ｂ上面側においては、多数のアンカーボルト１ａの先端部分が断続的に突出しており、さらに当該各アンカーボルト１ａのうち、土台２の長手方向最端側から突出するアンカーボルト１ａの先端部には、筒状をなすと共に横方向に貫通する貫通孔５を備えた連結杆１が羅合してあり、この連結杆１は、基礎Ｂから土台２の抜孔１４を貫通して上方に向けて突出している。一方、縦柱３下端面の木口Ｓには、縦柱３の上下に延長する取付穴７が設けてあり、この取付穴７に前記連結杆１を突入している。また、縦柱３の側面には、前記連結杆１の貫通孔５と一致する箇所に対応して挿入孔６を設けており、この挿入孔６にドリフトピン４を差し込み、さらに、差し込んだ後の前記ドリフトピン４における縦柱３の左右側面から突出した両端を、それぞれナット１０，１０締めすることで、縦柱３をアンカーボルト１ａ及び連結杆１から抜出し不能に係止できる。
【００１５】
次に、本発明の要部となる前記環状金具について説明する。
この環状体８は図２及び図３のように、例えば４寸幅の縦柱３に適用する場合、該縦柱３の木口Ｓ幅よりも約１０ｍｍ〜３０ｍｍ程度径の小さな金属製の筒体の周壁を全周に亘って波形にカットし、これを刃部１１としたものである。さらに、当該各刃部１１の被突出側は扁平面１３をなし、この扁平面１３の横側への張り出し部分が木口Ｓに接することで、前記環状体８が木口Ｓ面よりも更に深く差込まれるのを規制する役目も果たしている。また図４は、環状体８の他の実施形態を示すものであり、この環状体８は、串状をなす多数本の刃部１１をリング体９に溶接したものである。
【００１６】
次に地震や交通振動によって、実際に建物が縦揺れた場合の土台２・縦柱３間の接合箇所の状態を説明する。
尚、本実施形態では、縦柱３にヒビが入った場合について説明するものである。
建物が縦揺れした場合には、地盤・基礎Ｂから伝達する揺れに対し、土台２・縦柱３の接合箇所においては、まず、ドリフトピン４と縦柱３とが接触している挿入孔６では、前述した揺れの影響で該縦柱３の上下方向に衝突力が加わり、縦柱３の縦方向に亀裂のような細いヒビ１５が入る。そこで縦柱３の木口Ｓに対し、円形に配置された各刃部１１がそれぞれ突入しており、さらに当該各刃部１１は、その一体的な構造により全てが繋がっていることで、更なるドリフトピン４による木口Ｓの中心から外側に向かって拡がる力に抗し、環状体８が木口Ｓの中心に向けて応力を発揮するので、該縦柱３における前記ヒビ１５の拡がりを防ぎ、更には縦柱３の縦割れを抑えられる。
【図面の簡単な説明】
【００１７】
【図１】本発明の木材建築用部材の接合構造を示す説明図である。
【図２】図１のＡ−Ａ線横断面図である。
【図３】本発明の環状体を説明する斜視図である。
【図４】本発明の環状体の他の実施形態を説明する斜視図である。
【符号の説明】
【００１８】
１  連結杆
２  土台（横架材）
３  縦柱
４  ドリフトピン（ピン）
５  貫通孔
６  挿入孔
７  取付穴
８  環状体
１１  刃部
１３  被押込部（扁平面）
１４  抜孔
Ｄ  被突出側（被突出側面）
Ｓ  木口
【図１】
2005089992.tif 000003
【図２】
2005089992.tif 000004
【図３】
2005089992.tif 000005
【図４】
2005089992.tif 000006